(57)【要約】【課題】  配管施工現場において三層管の端部に接続金具挿入の操作性が良好でかつ携帯しやすい接続金具取付用治具を提供する。【解決手段】  治具基台１上に、管体を治具基台１の長さ方向に沿ってかつ管体をねじ棒の締め付け力により上方から押さえつけて固定保持する管体保持部材10と、タケノコ溝部を有する中空の接続金具40を前記管体の端部に圧入する接続金具圧入部材20とが対向状態に配置されている。管体保持部材10は、管体受け部11と、該管体受け部11上に載置された管体を上方から押さえつける管体押さえ部12と、該管体押さえ部12を上下移動させるねじ棒からなる操作杆13とを備えている。前記接続金具圧入部材20は、前記接続金具保持部22と、該接続金具保持部22を管体に対して進退自在とする圧入杆21とを備えている。【選択図】  図１
2011099476.tif 000002
【特許請求の範囲】
【請求項１】
治具基台上に、管体を治具基台の長さ方向に沿ってかつ管体をねじ棒の締め付け力により上方から押さえつけて固定保持する管体保持部材と、タケノコ溝部を有する中空の接続金具を前記管体の端部に圧入する接続金具圧入部材とが対向状態に配置されていることを特徴とする管体への接続金具取付用治具。
【請求項２】
前記管体保持部材は、起立姿勢位置と治具基台上面に向かって傾斜する傾斜姿勢位置とのいずれかに任意に変更できるものと構成されている請求項１に記載の管体への接続金具取付用治具。
【請求項３】
前記管体保持部材は、管体受け部と、該管体受け部上に載置された管体を上方から押さえつける管体押さえ部と、該管体押さえ部を上下移動させるねじ棒からなる操作杆とを備えている請求項１又は請求項２に記載の管体への接続金具取付用治具。
【請求項４】
前記管体保持部材の操作杆は、操作用六角ナット状部と操作用ビット挿入口とを備えている請求項３に記載の管体への接続金具取付用治具。
【請求項５】
前記管体保持部材の操作杆は、少なくとも片手で握り持つことのできる長さ分が上方に向かって突出している請求項３又は請求項４に記載の管体への接続金具取付用治具。
【請求項６】
前記接続金具圧入部材は、前記接続金具保持部と、管体に対して進退自在な圧入杆とを備えている請求項１ないし請求項５のいずれかに記載の管体への接続金具取付用治具。
【請求項７】
前記接続金具保持部は、接続金具の開口内に嵌り込む断面非真円形凸部を備えている請求項６に記載の管体への接続金具取付用治具。
【請求項８】
前記接続金具保持部の圧入杆は、ねじ棒からなり、操作用六角ナット状部と操作用ビット挿入口とを備えている請求項６又は請求項７に記載の管体への接続金具取付用治具。
【請求項９】
治具基台は、底面に平坦部を備えかつ片手で把持できる大きさに形成されると共に、治具基台上面と管体との間に手指を挿入できる隙間が設けられている請求項１ないし請求項８のいずれかに記載の管体への接続金具取付用治具。
【発明の詳細な説明】
【技術分野】
【０００１】
本発明は、給水、給湯、冷温水配管などの各種配管に用いられる管体への接続金具取付用治具に関する。
【背景技術】
【０００２】
給水、給湯、冷温水配管などの各種配管の所要箇所において、樹脂管からなる管体が中空の接続金具を介して、所定の機器あるいは別の管体に接続される。接続金具は種々あるが、そのひとつにいわゆるタケノコ溝を有する接続金具がある。
【０００３】
このような接続金具は、管体端部へ圧入されるもので、その圧入のために用いられる接続金具取付用治具として、例えば、治具本体に管体を固定し、治具本体の下方に設けられた操作レバーや後退制御レバー、ロックレバーを操作することにより、圧入操作杆先端の接続金具ホルダーに保持された接続金具を管体の開口端部から管体内に圧入するものとした治具が公知である（例えば、特許文献１参照）。
【先行技術文献】
【特許文献】
【０００４】
【特許文献１】特許第２５８２７１２号公報
【発明の概要】
【発明が解決しようとする課題】
【０００５】
しかしながら、上記接続金具取付用治具における管体の固定保持は、管体を一対の固定パイプ掴着用半片によって左右両側方から掴着して水平状態とし、該掴着状態を一方の掴着半片のハンドル片をロックレバーが押さえつけることによりなされているものである。
【０００６】
そして、該ロックレバーは、基端部の回転軸部を中心として回転し、先端側中間部がハンドル片を抑えつけるようになされたものであるから、掴着力を強くするためには、ハンドル片に対する押圧力を強くすれば良いのだが、ロックレバーの回転は作業者の手で行われるので、ロックレバーの押圧力を強くすればするほどロックレバーの操作が行い難くなる。
【０００７】
ところで、最近は配管の管体としてアルミニウム等の軽金属製中間層の内外面側に合成樹脂製内層及び外層が形成されてなるいわゆる三層管が用いられることがある。
【０００８】
該三層管は、軽金属製中間層を有しない通常の樹脂管に較べて、材質的に端部を拡径し難いので、その端部に接続金具を挿入するにはより大きな力を必要とするものである。
【０００９】
従って、管体の固定保持がより一層強固にされていないと、接続用金具の圧入ができなくなってしまうことになるが、上記のような接続金具取付用治具において固定保持力を高めようとすると、操作性が悪くならざるを得ない。
【００１０】
また、上記のような接続金具取付用治具は、前記操作レバー、ハンドル片、ロックレバー等が治具本体の下方に突出する構成のものであるから、全体として嵩張るので携帯にもいささか不便である。
【００１１】
本発明は、このような技術的背景に鑑みてなされたもので、配管施工現場において三層管の端部に接続金具を挿入する際の操作性が良好でかつ携帯しやすい接続金具取付用治具を提供することを目的とする。
【課題を解決するための手段】
【００１２】
前記目的を達成するために、本発明の管体への接続金具取付用治具は、下記［１］〜［９］の構成を有する。
【００１３】
［１］治具基台上に、管体を治具基台の長さ方向に沿ってかつ管体をねじ棒の締め付け力により上方から押さえつけて固定保持する管体保持部材と、タケノコ溝部を有する中空の接続金具を前記管体の端部に圧入する接続金具圧入部材とが対向状態に配置されていることを特徴とする管体への接続金具取付用治具。
【００１４】
［２］  前記管体保持部材は、起立姿勢位置と治具基台上面に向かって傾斜する傾斜姿勢位置とのいずれかに任意に変更できるものと構成されている前項１に記載の管体への接続金具取付用治具。
【００１５】
［３］  前記管体保持部材は、管体受け部と、該管体受け部上に載置された管体を上方から押さえつける管体押さえ部と、該管体押さえ部を上下移動させるねじ棒からなる操作杆とを備えている前項１又は前項２に記載の管体への接続金具取付用治具。
【００１６】
［４］  前記管体保持部材の操作杆は、操作用六角ナット状部と操作用ビット挿入口とを備えている前項３に記載の管体への接続金具取付用治具。
【００１７】
［５］  前記管体保持部材の操作杆は、少なくとも片手で握り持つことのできる長さ分が上方に向かって突出している前項３又は前項４に記載の管体への接続金具取付用治具。
【００１８】
［６］  前記接続金具圧入部材は、接続金具保持部と、管体に対して進退自在な圧入杆とを備えている前項１ないし前項５のいずれかに記載の管体への接続金具取付用治具。
【００１９】
［７］  前記接続金具保持部は、接続金具の端部開口内に嵌り込む断面非真円形凸部を備えている前項６に記載の管体への接続金具取付用治具。
【００２０】
［８］  前記接続金具保持部材の圧入杆は、ねじ棒からなり、操作用六角ナット状部と操作用ビット挿入口とを備えている前項６又は前項７に記載の管体への接続金具取付用治具。
【００２１】
［９］  治具基台は、底面に平坦部を備えかつ片手で把持できる大きさに形成されると共に、治具基台上面と管体との間に手指を挿入できる隙間が設けられている前項１ないし前項８のいずれかに記載の管体への接続金具取付用治具。
【発明の効果】
【００２２】
本発明は、以下の効果を奏する。
【００２３】
［１］の発明では、管体がねじ棒の締め付け力により上方から押さえつけられて固定保持されているので、接続金具の圧入時に管体が後退することなく、接続金具の圧入がスムーズに行える。
【００２４】
また、管体保持部材と接続金具圧入部材とが治具本体の一側に突出するだけであるので、全体として嵩張りが小さく携帯に便利である。
【００２５】
［２］の発明では、管体保持部材が、起立姿勢位置と治具基台上面に向かって傾斜する傾斜姿勢位置とのいずれかに任意に変更できるものと構成されているので、管体保持部材に傾斜姿勢位置を取らせることにより、コンパクトな折り畳み状態を実現できる。
【００２６】
［３］の発明では、管体受け部上に載置された管体を上方から押さえつける管体押さえ部を、ねじ棒からなる操作杆が上下動させるものとなされているので、管体が確実に固定保持され、接続金具の圧入時に管体が後退することなく、接続金具の圧入がスムーズに行える。
【００２７】
［４］の発明では、管体保持部材の操作杆が、操作用六角ナット状部と操作用ビット挿入口とを備えているので、モンキーレンチあるいはインパクトドライバーのどちらででも操作杆を操作でき、便利である。
【００２８】
［５］の発明では、管体保持部材の操作杆が、少なくとも片手で握り持つことのできる長さ分が上方に向かって突出しているので、該突出した操作杆を握り持つことによって接続金具圧入部材の操作杆の操作が行いやすくなる。
【００２９】
［６］の発明では、接続金具圧入部材が、接続金具保持部と、管体に対して進退自在な圧入杆とを備えているので、接続金具を保持しながら管体へのその圧入をスムーズに行える。
【００３０】
［７］の発明では、接続金具保持部が、接続金具の端部開口内に嵌り込む断面非真円形凸部を備えているので、操作杆を操作すると接続金具も操作杆の回転に合わせて回転するので、接続金具の管体端部への圧入も行いやすい。
【００３１】
［８］の発明では、接続金具保持部の圧入杆が、操作用六角ナット状部と操作用ビット挿入口とを備えているので、モンキーレンチあるいはインパクトドライバーのどちらででも操作杆を操作でき、便利である。
［９］の発明では、治具基台が底面に平坦部を備えているので、治具基台を平坦な作業台等に安定良く強く押さえつけることができ、モンキーレンチでの操作が行いやすい。
【００３２】
また、治具基台が片手で把持できる大きさに形成されると共に、治具基台上面と圧入杆との間に手指を挿入できる隙間が設けられているので、インパクトドライバーを使用する場合に、治具基台上面と管体との間に手指を挿入して片手で治具基台を把持して、インパクトドライバーを操作者の側方から操作用ビット挿入口に差し込むような操作が行いやすく、操作性に優れている。
【図面の簡単な説明】
【００３３】
【図１】本発明の接続金具取付用治具の一実施形態の全体斜視図である。
【図２】図１のII−II線断面図である。
【図３】管体保持部材の折り畳み状態の全体斜視図である。
【図４】接続金具を接続金具取付用治具に装着する前の、接続金具、管体及び接続金具取付用治具の分離状態を示す斜視図である。
【図５】接続金具が管体に圧入される前の同接続金具取付用治具の使用状態の斜視図である。
【図６】接続金具が管体に圧入された後の同接続金具取付用治具の使用状態の斜視図である。
【発明を実施するための形態】
【００３４】
本発明に係る接続金具取付用治具の一実施形態を、図面を参照しながら具体的に説明する。
【００３５】
この実施形態の接続金具取付用治具Ａは、治具基台１の長さ方向の両端部に、管体保持部材１０と、タケノコ溝部を有する中空の接続金具４０を前記管体Ｐの端部に圧入する接続金具圧入部材２０とが対向状態に配置されている。
【００３６】
治具基台１は、平板部１ａの下方に一対の脚部１ｂ、１ｂが垂下されてなる断面チャンネル状であって、各脚部１ｂの下面が平坦面に形成されている。したがって、治具基台１は、作業台等の平坦面に安定良く載置することができる。
【００３７】
前記管体保持部材１０は、管体受け部１１と、該管体受け部１１上に載置された管体Ｐを上方から押さえつける管体押さえ部１２と、該管体押さえ部１２を上下移動させるねじ棒からなる操作杆１３とを備え、管体押さえ部１２と操作杆１３とは、治具基台１端部に立設された門形状の管体押さえ部支持枠１４に装備され、管体受け部１１は、治具基台１上に固定されている。
【００３８】
管体押さえ部支持枠１４は、図１に示すように、天板１４ｂから垂下された両脚部１４ａ、１４ａの下端部が治具基台１の端部を跨いだ状態で治具基台１に立設され、天板上面にねじ棒からなる操作杆１３に螺合する雌ねじ部（図示省略）を有する六角ナット状部１７が固着されている。
【００３９】
この管体押さえ部支持枠１４は、その両脚部１４ａ、１４ａ及び治具基台１の両脚部１ｂ，１ｂを貫通するネジ２とピン３とによりその起立姿勢位置が保持されている。図３に示すように、ピン３を抜くとネジ２を回転軸として治具基台の天板１ａに向かって傾斜する傾斜姿勢位置に変更することができる。あるいはその反対方向へ傾斜、倒伏させることも可能である。
【００４０】
管体受け部１１は、金属塊からなり、治具基台の天板１ａ上面に固定用ねじ３１，３１により固定され、その上面に管体Ｐの断面真円形の下半部が嵌り込む内径を有する断面半円形状の凹部１１ａを備えている。
【００４１】
管体押さえ部１２は、下面に管体Ｐの断面真円形の上半部が嵌り込む内径を有する断面半円形状の凹部１５ａを備えた金属塊からなる押さえ金１５と、該押さえ金１５を保持すると共に操作杆１３に連結された押さえ金保持部１６とからなり、管体受け部の凹部１１ａに載置された管体Ｐを上方から押さえつけるものとなされている。
【００４２】
押さえ金保持部１６は、図２に示すように断面コ字状に形成されており、その天板１６ａから貫通した操作杆１３の先端が回転可能となるように天板１６ａと押さえ金１５との間に隙間Ｓ１が設けられている。図中、３４は押さえ金固定用ねじである。
【００４３】
操作杆１３は、図に示すようにねじ棒からなり、管体押さえ部支持枠の天板１４ｂ上面に固着された六角ナット状部１７の雌ねじ部（図示省略）に螺合し、管体押さえ部支持枠天板１４ａ及び押さえ金保持部天板１６ａを貫通して、その先端部が押さえ金保持部天板１４ａと押さえ金１５との間の隙間Ｓ１に突出し、突出した先端部にＣリング３２が嵌着されて押さえ金保持部１２から抜脱しないものとなされている。
【００４４】
操作杆１３のねじ部の長さは、押さえ金１５が管体Ｐを押さえつける位置と、管体Ｐから遠ざかって管体Ｐを管体受け部１１から取り外すことのできる位置との間を移動できる長さがあれば十分であるが、後述するねじ棒上端部を含めて片手で握り持つことが容易になるような長さ分が管体押さえ部支持枠１４から上方に向かって突出している。
【００４５】
操作杆１３の上端は、図１に示すように、インパクトドライバーのビットが挿入できる断面正方形の操作用ビット挿入口１８ａを備えたインパクトドライバー用操作部１８が設けられると共に、その下方にはモンキーレンチ用の操作用六角ナット状部１９が設けられている。
【００４６】
なお、管体押さえ部支持枠脚部１４ａの一側面には、図１に示すように、その先端がピン３に繋げられたピン紛失防止用チェーン３３が付設されている。
【００４７】
前記接続金具圧入部材２０は、管体Ｐに対して進退自在な圧入杆２１と、圧入杆２１の先端に突設された接続金具保持部２２とを備えている。
【００４８】
圧入杆２１は、ねじ棒からなり、治具基台１の上面に立設された圧入杆支持脚２３の雌ねじ部（図示省略）に螺合して、管体Ｐの開口に向かって進退自在に移動できるものとなされている。
【００４９】
ここで、この接続金具取付用治具Ａが対象とする接続金具４０について説明しておくと、この接続金具４０は、例えば、図４に示すように、両端が開口した中空のものであっていわゆるタケノコ溝部４０ａとフランジ部４０ｂと断面正六角形のフランジ部開口４０ｃとを備え、該フランジ部４０ｂの外径より径小の貫通孔４１ａを有するナット４１と組み合わせた管継手として用いられるものである。
【００５０】
而して、圧入杆２１の先端に設けられた接続金具保持部２２は、ねじ棒の先端に設けられた無ねじ部２２ｂとその先端に突設された断面正六角形の外周を有する凸部２２ａとからなり、無ねじ部２２ｂが接続金具４０と組み合わされるナット４１を保持し、凸部２２ｂが接続用金具の断面正六角形のフランジ部開口４０ｃ内に嵌り込むことにより接続金具４０を保持するものとなされている。。
【００５１】
圧入杆２１の後端部には、インパクトドライバーのビットが挿入できる断面正方形の操作用ビット挿入口２４ａを備えたインパクトドライバー用操作部２４が設けられると共に、その圧入杆支持脚寄りの外周面にはモンキーレンチ用の操作用六角ナット状部２５が設けられている。
【００５２】
上記構成を有する接続金具取付用治具Ａを用いた管体Ｐに対する接続金具４０の取り付け手順について説明すると、先ず、図４に示す分離状態から、接続金具４０をナット４１に通した状態で接続金具のフランジ開口４０ｃに圧入杆先端の凸部２２ａを嵌め入れ、ナット４１がセットされた接続金具４０を圧入杆２１に保持させる一方、管体Ｐに予め締め付けバンド５０をセットした後、管体Ｐを管体受け部１１の凹部１１ａに載置する。この状態では、管体Ｐの上半部は、凹部１１ａの上方にある。
【００５３】
次いで、管体Ｐの開口を図５に示すように接続金具４０に近接させた状態で、操作杆１３を操作して管体押さえ部１２を下降させ、管体Ｐの上半部を押さえ金１５の凹部に嵌め合わせて、操作杆１３を更に締め付け方向に操作することにより、管体Ｐを管体受け部１１の凹部１１ａと押さえ金１５の凹部との間で強固に押さえつけることができる。
【００５４】
治具基台１は、底面に平坦部を備えているので、治具基台１を平坦な作業台等に安定良く強く押さえつけることができ、モンキーレンチを用いる場合あるいはインパクトドライバーを用いる場合のいずれでも、片手で接続金具圧入部材２１を上から押さえつけながら安定良く操作杆１３を操作することができる。
【００５５】
また、いずれの工具を用いても、ねじ棒の締め付け力により管体Ｐを強固に固定保持することができるので、接続金具４０の圧入時に管体Ｐが後退することなく、接続金具４０の管体Ｐへの圧入がスムーズに行える。
【００５６】
上述のように、この実施形態では、ねじ棒からなる操作杆１３が管体押さえ部を上下動させることにより、管体Ｐの締め付け固定・解除を行わせることができるので、管体Ｐの固定保持はもとより、その操作性にも優れている。
【００５７】
そして、管体Ｐを管体保持部材１０に固定保持させた後、モンキーレンチを用いる場合は、治具基台１を作業台等の平坦な所に置いたまま、片手で操作杆１３を掴んで下方に強く押しつけながら、モンキーレンチにより操作用六角ナット状部２５を操作して圧入杆２１を管体Ｐに向けて前進させ、接続金具４０を管体Ｐに圧入する。
【００５８】
あるいは、インパクトドライバーを用いる場合は、治具基台１を平坦面に載置した状態で行っても良いが、治具基台１上面と管体Ｐ及び圧入杆２１との間の隙間Ｓ２に手指を差し入れ、治具本体１を握り持ちながら操作する方が操作性が良い。
【００５９】
この圧入は、接続金具保持部の断面六角形状の凸部２２ａが、接続金具４０の端部開口内に嵌り込んで、ねじ棒からなる操作杆２１の回転に従って接続金具４０が回転しながら管体Ｐ内へねじ込まれて行くようになされるので、接続金具４０の管体端部への圧入も行いやすい。
【００６０】
いずれにせよ、接続金具４０の所定量が管体Ｐに圧入されたら圧入杆２１の前進を停止し、押さえ金１５による管体Ｐの押圧状態を解除すると共に管体Ｐを管体保持部材１０から取り出せるように、操作杆１３を操作して管体押さえ部１２を上方に移動させる。
【００６１】
その後、管体Ｐを圧入杆２１から遠ざかるように少し水平方向に移動させると、接続金具４０及びナット４１が接続金具保持部２２から離れ、管体保持部材１０から取り出した管体Ｐ端部にナット４１が組み合わされた接続金具４０が管体Ｐにとどまることになる。
【００６２】
その後、締め付けバンド５０を接続金具４０に対応する所定位置に存するように移動させることにより、接続金具４０の管体Ｐへの取り付けが完了する。
【００６３】
而して、接続金具４０にセットされたナット４１を介して管体Ｐを所定の機器又は別の管体に接続するのである。
【００６４】
また、使用後の接続金具取付用治具Ａは、ピン３を治具基台１及び管体押さえ部支持枠１４から抜き取ることによって、上記使用時における管体保持部材１０の起立姿勢位置から治具基台の天板１ａに向かって傾斜する傾斜姿勢位置に変更したコンパクトな折り畳み状態へと変更することができる。
【００６５】
なお、上記実施形態においては、接続金具４０のフランジ部開口が断面正六角形状であることに合わせて圧入杆の接続金具保持部の凸部を断面正六角形状とし、圧入杆の回転に伴って接続金具も一緒に回転するものとなされているが、断面形状は正六角形状に限定されるものではない。その他の正多角形状、楕円形状であっても良いし、あるいは接続金具のフランジ部開口が真円形である場合は、それに併せて接続金具保持部の凸部の断面形状が真円形であってもかまわない。この場合は、接続金具が圧入杆の回転に従がわず圧入杆と一緒に回転しないものとなる。
【００６６】
また、接続金具は、上記実施形態のようなものに限定されず、タケノコ溝部とフランジ部との間の平坦部のないものや、あるいはナットと組み合わせて使用されるものでなくてもかわまない。
【符号の説明】
【００６７】
Ａ・・・接続金具取付用治具
Ｐ・・・管体
Ｓ２・・・治具基台上面と管体との間の隙間
１・・・治具基台
１ａ・・・平板部
１ｂ・・・脚部
１０・・・管体保持部材
１１・・・管体受け部
１１ａ・・・凹部
１２・・・管体押さえ部
１３・・・操作杆
１８ａ・・・操作用ビット挿入口
１９・・・操作用六角ナット状部
２０・・・接続金具圧入部材
２１・・・圧入杆
２２・・・接続金具保持部
２２ａ・・・断面非真円形凸部
２４ａ・・・操作用ビット挿入口
２５・・・操作用六角ナット状部
４０・・・接続金具
４０ａ・・・タケノコ溝部
【図１】
2011099476.tif 000003
【図２】
2011099476.tif 000004
【図３】
2011099476.tif 000005
【図４】
2011099476.tif 000006
【図５】
2011099476.tif 000007
【図６】
2011099476.tif 000008